(57)【要約】【課題】例えば芸能人やプロ野球選手など、特定の人顔の特徴がデフォルメされたフィギュア、或いは飼い犬などのペットに似たフィギュアと、顧客の顔の特徴がデフォルメされたフィギュアとをペアで揃えるという、顧客の願望に満たすペアフィギュアを提供することにある。【解決手段】ペアフィギュアの一方が、顧客の提供した顔写真または顔の画像データをもとに、顔の特徴がデフォルメされて製作された２ないし４頭身のフィギュアで構成し、他方が同じ形状のフィギュアで構成した。【選択図】  図１
0003108177.tif 000002
【実用新案登録請求の範囲】
【請求項１】
ペアのフィギュアであって、ペアのうちの一方は、特定の人の顔の特徴がデフォルメされた頭部とボディとが一体製作された、２ないし４頭身のフィギュア人形で構成され、
ペアのうちの他方は、フィギュアの製作依頼者が提供した顔写真または顔の画像データをもとに、顔の特徴がデフォルメされて個別に製作された頭部と、同じタイプのボディとが組み合わされた、２ないし４頭身のフィギュア人形で構成されていることを特徴とするペアフィギュア。
【請求項２】
前記特定の人が、歌手、俳優、タレント、スポーツ選手等の著名人である請求項１に記載のペアフィギュア。
【請求項３】
ペアのフィギュアが、男性のフィギュアと女性のフィギュアとが寄り添った一体形状を有し、男性のフィギュア又は女性のフィギュアの一方が、フィギュアの製作依頼者が提供した顔写真または顔の画像データをもとに、顔の特徴がデフォルメされて一品製作された頭部を有し、他方が、特定の人の顔の特徴がデフォルメされた頭部とボディとが一体製作された、２ないし４頭身のフィギュア人形で構成されている請求項１又は２に記載のペアフィギュア。
【請求項４】
ペアのフィギュアであって、ペアのうちの一方は、フィギュアセットの製作依頼者が提供した顔写真または顔の画像データをもとに、顔の特徴がデフォルメされて一品製作された頭部と、同じタイプのボディとが組み付けられた、２ないし４頭身のフィギュア人形で構成され、
ペアのうちの他方は、犬又は猫などのペット動物の種類ごとに製作されたペット動物のフィギュア原型のうち、フィギュアの製作依頼者が指定した種類のペット動物のフィギュア原型に、フィギュアの製作依頼者が提出したペット動物の写真又はその画像データに合わせた色及び模様に着色されたペット動物のフィギュアで構成されていることを特徴とするペアフィギュア。
【考案の詳細な説明】
【考案の詳細な説明】
【技術分野】
【０００１】  本考案は、ペアフィギュアに関し、詳細には、ペアフィギュアの一方が、顧客の提供した顔写真または顔の画像データをもとに、顔の特徴がデフォルメされて製作された２ないし４頭身のフィギュアで構成され、他方が同じ形状のフィギュアで構成されているペアフィギュアに関する。
【背景技術】
【０００２】  フィギュアは、人、動物、キャラクタなどに似せて製作された人形であり、最近では、顔の特徴がデフォルメされたフィギュアが人気を博している。この種のフィギュアは、芸能人やスポーツ選手の顔の特徴がデフォルメされて製作されたフィギュアと、顧客が提出した顔写真をもとに顔の特徴がデフォルメされて製作されたフィギュア（例えば、特開２００１−２２２６３３号公報、登実３０９３８２５号公報）があり、前者のフィギュアは同じフィギュアが多数製作され、後者のフィギュアは、顔を含めた頭部が個々異なるフィギュアで製作されている。【０００３】
【特許文献１】特開２００１−２２２６３３号公報
【特許文献２】登実３０９３８２５号公報
【考案が解決しようとする課題】
【０００４】
【０００５】  しかしながら、フィギュアの大きさには特に規格された大きさがないため、従来では、前者のフィギュアと後者のフィギュアとを同じ大きさのペアで揃えることが出来なかった。即ち、例えば、芸能人やプロ野球選手の顔の特徴がデフォルメされたフィギュアと、顧客の顔の特徴がデフォルメされたフィギュアとをペアで揃えることが出来なかった。
また、従来のフィギュアは、男女ペアの人形が寄り添ってボディが一体製作されたフィギュアがなかったために、芸能人やプロ野球選手と寄り添いたいというファンの夢を満たすことが出来なかった。
また、従来のフィギュアでは、ペットのフィギュアは数多く見られるが、個々顔が異なるフィギュアとペットである飼い犬のフィギュアとがペアになったフィギュアが無かったために、ペット愛好家がこのフィギュアを手に入れたい場合には、個別にフィギュア製作者に特別注文する必要があるが、ペアともにオーダー製作する必要があるために非常に高価になり、また、このようなフィギュアを製作する業者を探し出し、製作を依頼する機能的なシステムが市場に出来ていなかった。
【０００６】  本考案のペアフィギュアは、これらの課題を解消し、顧客満足度の高いフィギュアを顧客に提供することにある。
【課題を解決するための手段】
【０００７】〔請求項１及び２に記載のペアフィギュア〕
以上の課題を解消する請求項１に記載の考案は、ペアのフィギュアであって、ペアのうちの一方は、特定の人の顔の特徴がデフォルメされた頭部とボディとが一体製作された、２ないし４頭身のフィギュア人形で構成され、
ペアのうちの他方は、フィギュアの製作依頼者が提供した顔写真または顔の画像データをもとに、顔の特徴がデフォルメされて個別に製作された頭部と、同じタイプのボディとが組み合わされた、２ないし４頭身のフィギュア人形で構成されていることを特徴とするものである。
【０００８】  本考案の請求項１に記載のペアフィギュアは２体で構成され、このうちの一体が特定の人の顔がデフォルメされて製作されており、もう一体のフィギュアの頭部は、顧客が提供した顔写真または顔の画像データをもとに顔の特徴がデフォルメされて製作されている。
ここにいう特定の人とは、予め決められている人、即ち、同じ人という意味である。通常、この特定の人のフィギュアは、同じものが数多く製作される。本考案の請求項２では、この特定の人として、歌手、俳優、タレント、スポーツ選手等の著名人を挙げる。このようにすると、著名人のフィギュアと自分（製作依頼者である顧客）のフィギュアとが並んだペアフィギュアを所有できるようになる。また、特定の人は、テレビのドラマの登場人物及びアニメキャラクターなどのように架空の人物であってもよい。
特定の人は、肖像権の問題が解決している限りにおいて、誰であっても構わない。例えば、クラブの美人ママのように熱狂的なファンを多く持つ女性が、自分が代理店になって、ファンである顧客とペアになったペアフィギュアを数多く販売するのであれば、この女性が特定の人になる。
【０００９】  この特定の人の顔がデフォルメされたフィギュアは、顔及び髪を含めた頭部全体とボディとが一体製作されたものを想定しているが、頭部とボディとを組み付けて製作したものであっても構わない。
これに対して、ペアフィギュアの他の一体は、顧客が提供した顔写真または顔の画像データをもとに顔の特徴がデフォルメされて製作され、その後、同じ形のボディに組み付けられたものからなる。ボディは複数種類のものの中から顧客が選択できるようにしてもよい。
【００１０】〔ペアフィギュアの提供システム〕
顧客は、自分の好きな特定の人（例えば、歌手、俳優、タレント、スポーツ選手等の著名人）と並んだペアフィギュアが欲しい場合には、代理店にその製作を申し込む。そして、その申し込みの際に、自分の顔写真又は顔の画像データを代理店に提出する。ペアフィギュアを誰かにプレゼントしたい場合には、その人の顔写真又は顔写真の画像データを提出する。顔写真は、プリクラで撮影した小さな写真であってもよい。顔写真の画像データは、デジタルカメラで撮影した顔写真の画像データ、比較的画素数の多いカメラ付携帯電話機のカメラで撮影した画像データなどである。顔写真は、フィギュアの製作に役立てるために、顔の正面から撮影したものと、横顔を写したものの２点を提出する。
これらの写真は、代理店に持参、又は郵送により提出し、画像データは、インターネット、携帯電話機のｅメールを通じて提出する他、ＦＤ，ＣＤＲ、ＭＯをなどの記憶媒体に格納して提出する。この他、顧客がペアフィギュアを申し込むときに、代理店がその場で依頼者の顔を撮影してもよい。
【００１１】  代理店は、ペアフィギュアの申し込み時に顧客から受け取った顔写真又は顔写真の画像データを総代理店に提出する。総代理店は、この受け取った顔写真を契約したフィギュア製作者に提出して、その顔の特徴をデフォルメしたフィギュアの製作を発注する。
フィギュア製作者は、職人技で、顔写真の特徴を引き出したフィギュアの顔及び髪型を含めた頭部全体を手製で製作し、この頭部とボディとを組み付けて完成した後、このフィギュアを総代理店に提出する。尚、顧客が提出した顔写真又は顔の画像データをもとに、デザイナーがその顔がデフォルメされた絵を描き、この絵をもとにフィギュア製作者がフィギュアを製作するようにしても構わなく、また、写真又は写真の画像データをパソコンに入力して自動的にデフォルメされた似顔絵を描くプログラムソフトウエアを利用してもよい。
【００１２】  一方、特定の人の顔の特徴がデフォルメされたフィギュアは、上述した同じ方法でフィギュア製作者により、頭部とボディとは一体となったフィギュアを、需要を見込んで、多数製作しておく。
【００１３】  そして、総代理店は、代理店を通じて、特定の人のフィギュアと、顧客が提出した顔写真をもとに製作されたフィギュアとを、ペアにして、顧客に納品する。ペアフィギュアの好適な構造及び使用材料については、実施例の欄で詳述する。
【００１４】〔ペアフィギュアの大きさ〕
本考案のペアフィギュアは、必ずしも限定されるものではないが、好適には８〜１８ｃｍ程度の背丈を持つ、２〜４頭身のフィギュアである。
【００１５】〔請求項３に記載のペアフィギュア〕
また、本考案では、請求項３において、請求項１又は２に記載のペアフィギュアが、男性と女性とが寄り添った一体形状を有し、男性又は女性のうちの一方が、フィギュアの製作依頼者が提供した顔写真または顔の画像データをもとに顔の特徴がデフォルメされて一品製作された頭部を有し、他方が特定の人のフィギュアで構成されているものを挙げる。
【００１６】  ペアフィギュアが２体のセット品であると、ペアに揃えることは出来るが、さらに親近感を持たせるためにフィギュアどうしを寄り添えることは出来ないが、本考案の請求項３ではこれを実現させる構造にした。
【００１７】〔請求項４に記載のペアフィギュア〕
また、本考案では、請求項４において、ペアのフィギュアであって、ペアのうちの一方は、フィギュアセットの製作依頼者が提供した顔写真または顔の画像データをもとに、顔の特徴がデフォルメされて一品製作された頭部と、同じタイプのボディとが組み付けられた、２ないし４頭身のフィギュア人形で構成され、
ペアのうちの他方は、犬又は猫などのペット動物の種類ごとに製作されたペット動物のフィギュア原型のうち、フィギュアの製作依頼者が指定した種類のペット動物のフィギュア原型に、フィギュアの製作依頼者が提出したペット動物の写真又はその画像データに合わせた色及び模様に着色されたペット動物のフィギュアで構成されていることを特徴とするペアフィギュアも提案する。
【００１８】  従来のペットのフィギュアは、顧客の飼い犬などのペットに似たフィギュアが無かったが、ペットの種類に応じたフィギュアの原型を前以て量産しておき、このフィギュアに、顧客が提出したペットの写真又は写真の画像データをもとに、そのペットと同じ色、色模様に着色すると、飼い犬などのペットに極めて似たフィギュアになることに考案者は着目し、本考案の請求項４では、これを可能にするとともに、飼い主のフィギュアとペアにした。このペアフィギュアも前述したペアフィギュアの提供システムと同じシステムで顧客に提供される。
【考案の効果】
【００１９】  本考案の請求項１に記載のペアフィギュアによれば、特定の人と顧客などの個々異なる不特定の人の顔の特徴がデフォルメされた、２〜４頭身のペアフィギュアにした結果、特定の人と一緒にペアになった、顧客満足度の高いペアフィギュアを、顧客に提供出来るようになった。
そして、このように、特定の人のフィギュアとペアにすることで、ペアフィギュアの注文を増加させることにつながる。即ち、特定の人と一緒に居るという、人が本能的に持つ願望を満たすことが出来るようになった。また、ペアフィギュアのうちの一方（特定の人のフィギュア）が同じフィギュアであるため、需要を見込んで前以て製作しておくこと出来、この結果、ペアフィギュアの早期納期が実現出来るようになった。
【００２０】  本考案の請求項２に記載のペアフィギュアによれば、ペアフィギュアの一方である特定の人を、歌手、俳優、タレント、スポーツ選手等の著名人のフィギュアとした結果、これらの著名人と一緒に居るというファンの願望を、ペアフィギュアで実現出来るようになった。また、このように著名人のフィギュアを組み合わせることにより、ペアフィギュアの需要拡大が見込まれるようになった。
【００２１】  本考案の請求項３に記載のペアフィギュアによれば、さらに、男性のフィギュアと女性のフィギュアとが寄り添った一体形状を有し、男性のフィギュア又は女性のフィギュアのうちの一方が、フィギュアの製作依頼者が提供した顔写真または顔の画像データをもとに顔の特徴がデフォルメされて一品製作された頭部を有するペアフィギュアで構成した結果、ペアフィギュアの世界で、顧客の願望をさらに満たすことが出来るようになった。
【００２２】  本考案の請求項４に記載のペアフィギュアによれば、飼い主の顔の特徴がデフォルメされたフィギュアと、飼い犬などのペットに似たフィギュアとがペアになったペアフィギュアにした結果、ペット愛好家の願望をフィギュアの世界でも満たすことができるようになった。そして、ペットの記念をいつまでも残すことが出来るようになった。
【考案を実施するための最良の形態】
【００２３】  本考案を実施するための最良の形態を次の実施例に示す。
【実施例１】
【００２４】  図１は、本考案の実施例１によるペアフィギュアの一例を示した正面図であり、図２は、女性のフィギュアの頭部をボディに取り付ける前の状態を示している。
図１に示すように、この実施例１のペアフィギュア１は、男性のフィギュア２と女性のフィギュア３によるペアで構成されている。
この実施例１の場合では、男性のフィギュア２が特定の人である歌手のフィギュアであり、女性のフィギュア３の顔及び髪型を含めた頭部は、顧客が提出した顔写真又は顔写真の画像データをもとに個別に製作されている。
男性のフィギュア２の頭部２ａを含めたボディ２ｂは、ポリレジンで製作されている。
これに対して、女性のフィギュア３の顔及び髪を含めた頭部３ａは、顔色と顔模様と髪色に合わせた色のプラスチック粘土で形造り、これを焼結させることにより製作されており、このようにすることで、立体感と高級感を持たせてある。
そして、図２に示すように、女性の頭部３ａから下方に向けて突出させて成形した首部４の一部を、ボディ３ｂの上端部に形成されている穴５内に突入させて、接着剤で接着させることにより、頭部３ａとボディ３ｂとが組み付けられて製作されている。女性のボディ３ｂはポリレジンを素材としている。なお、これらの素材は、最適とされるものを例示したものであり、他の素材、例えば、シリコン樹脂、陶器で製作されたものでも構わない。製作には、適宜、型を使用してもよい。
このようにして製作された実施例１のペアフィギュア１は、男女いずれも３頭身のフィギュアであるが、２ないし４頭身の範囲内のフィギュアで製作してもよい。
実施例１のペアフィギュア１は、このような構成を有する、男性の著名人と顧客がペアになったデフォルメ人形である。
尚、上述した実施例１のペアフィギュアは、女性の顔を含めた頭部３ａ全体が顧客のオーダーに応じて製作されるものになっているが、男女逆の場合であっても構わない。
そして、図示していないが、実施例１のペアフィギュア１は、平坦な台の上に置いて飾ることができるように台とセット販売される。また、透明なプラスチック製のケースに入れて埃が付着しないようにしてもよい。
【実施例２】
【００２５】  図３は、本考案の実施例２によるペアフィギュアを示した正面図である。
図３に示すように、この実施例３のペアフィギュア１１は、男性のフィギュア１２が女性のフィギュア１３に肩寄せて、男性のフィギュア１２の片手が女性のフィギュア１３の肩に手を添えているペアフィギュアである。
そして、男性のフィギュア１２が、特定の人である有名な歌手の顔の特徴がデフォルメされたフィギュアに製作され、女性のフィギュア１３が、顧客が提出した顔写真又は顔写真の画像データをもとに、その顔の特徴がデフォルメされたフィギュアに製作されている。
女性の顔及び髪型を含めた頭部３ａは、前述した実施例１に示す女性のフィギュア３の頭部２ａと同じように製作され、男性のフィギュア１２の全体と女性のフィギュア１３のボディ１３ｂは、前述した実施例１に示す男性のフィギュア２と同じ素材で一体製作されている。そして、実施例１の女性のフィギュア３と同様の方法で、女性のフィギュア１３の頭部１３ａがボディに組み付けられている。
尚、この実施例２のフィギュア１１も、女性のフィギュア１３を特定の人のフィギュアにし、男性のフィギュア１２を、顧客が提出した写真又はその画像データをもとに製作した頭部１２ａを持つフィギュアにしてもよい。この場合では、男性のフィギュア１２の頭部１２ａがボディ１２ｂに組み付けられ、女性のフィギュア１３の頭部１３ａとボディ１３ｂは一体製作される。
【実施例３】
【００２６】  図４は、本考案の実施例３によるペアフィギュアを示した正面図である。
図４に示すように、この実施例３のペアフィギュア２１は、ペットである犬のフィギュア２３と飼い主２２とがペアになったペアフィギュアであり、飼い主のフィギュア２３は、顧客である飼い主の顔の特徴をデフォルメさせた３頭身のフィギュアで製作されている。尚、３頭身でなくても、２ないし４頭身の範囲のフィギュアにしてもよい。その製作は、実施例１の場合で述べた女性のフィギュア３と同様である。
そして、ペットである犬のフィギュア３３は、予め、各種類の犬のフィギュア原型に、顧客が提出したペットの写真又は写真の画像データに示されているペットと同じ色及び色模様に着色されて製作されている。ペットのフィギュア３３は、ポリレジン、プラスチック粘土、陶器などのいずれかを素材としたものが挙げられるが、他の素材で製作されたものでもよい。このようにすると、飼い犬そっくりの犬のフィギュア３３に出来上がる。
【図面の簡単な説明】
【００２７】
【図１】図１は、本考案の実施例１によるペアフィギュアの一例を示した正面図である。
【図２】図２は、女性のフィギュアの頭部をボディに取り付ける前の状態を示した正面図である。
【図３】本考案の実施例２によるペアフィギュアを示した正面図である。
【図４】本考案の実施例３によるペアフィギュアを示した正面図である。
【符号の説明】
【００２８】  １      実施例１のペアフィギュア
２      男性のフィギュア
２ａ    頭部
２ｂ    ボディ
３      女性のフィギュア
３ａ    頭部
３ｂ    ボディ
４      首部
５      穴
１１      実施例２のペアフィギュア
１２      男性のフィギュア
１２ａ    頭部
１２ｂ    ボディ
１３      女性のフィギュア
１３ａ    頭部
１３ｂ    ボディ
２１      実施例４のペアフィギュア
２２      飼い主のフィギュア
２３      ペットである犬のフィギュア
【図１】
0003108177.tif 000003
【図２】
0003108177.tif 000004
【図３】
0003108177.tif 000005
【図４】
0003108177.tif 000006